(57)【要約】【課題】撮像素子を有するカメラ本体を従来以上に薄型化することが可能な撮像装置を提供する。【解決手段】この撮像装置は、撮像素子１１を有するカメラ本体２を備えており、カメラ本体２の被写体側の面には、開口部１５ａが形成されている。カメラ本体２は、撮像素子１１の被写体側に配置される光学フィルタ１３と、少なくとも光学フィルタ１３を保持する保持部材１４と、開口部１５ａよりも小さい開口部２６ａが形成されるとともに開口部１５ａよりも反被写体側に配置されるカバー部材２６とを備えている。カメラ本体２では、保持部材１４の一部が開口部２６ａの中に配置されている。【選択図】図２
2018105328.tif 000002
【特許請求の範囲】
【請求項１】
撮像素子を有するカメラ本体を備え、
前記撮像素子の撮像面に直交する方向の一方側を被写体側とし、被写体側の反対側を反被写体側とすると、
前記カメラ本体の被写体側の面には、開口部が形成され、
前記カメラ本体は、前記撮像素子の被写体側に配置される光学フィルタと、少なくとも前記光学フィルタを保持する保持部材と、前記開口部よりも小さい第２の開口部が形成されるとともに前記開口部よりも反被写体側に配置されるカバー部材とを備え、
前記保持部材の一部は、前記第２の開口部の中に配置されていることを特徴とする撮像装置。
【請求項２】
前記保持部材は、筒状に形成される筒部と、前記筒部の被写体側端を塞ぐように前記筒部に繋がる底部とを有する有底の筒状に形成され、
前記底部には、前記第２の開口部よりも小さい第３の開口部が形成され、
前記光学フィルタは、前記底部の反被写体側の面に接触するように配置され、
前記撮像素子は、前記筒部の内周側に配置され、
少なくとも前記底部の一部が前記第２の開口部の中に配置されていることを特徴とする請求項１記載の撮像装置。
【請求項３】
前記カメラ本体は、前記カメラ本体に着脱可能に取り付けられる交換レンズを装着するためのマウント部材と、前記マウント部材を保持するマウント保持部材とを備え、
前記開口部は、前記マウント部材に形成され、
前記カバー部材は、前記マウント保持部材の一部を構成していることを特徴とする請求項１または２記載の撮像装置。
【請求項４】
前記マウント保持部材は、前記マウント部材が固定される環状の固定部を有する固定部材を備え、
前記マウント部材は、前記固定部の被写体側の面に固定され、前記カバー部材は、前記固定部の反被写体側の面に固定され、
前記固定部材は、金属で形成され、前記カバー部材は、樹脂で形成されていることを特徴とする請求項３記載の撮像装置。
【請求項５】
前記カメラ本体は、前記撮像素子が実装されるとともに前記保持部材に固定される回路基板を備え、
前記撮像素子は、前記回路基板の被写体側の面に実装され、
前記回路基板は、前記保持部材の反被写体側に配置されるとともにネジによって前記保持部材に固定され、
前記ネジの頭部は、前記回路基板の反被写体側に配置されていることを特徴とする請求項１から４のいずれかに記載の撮像装置。
【請求項６】
前記カバー部材には、反被写体側に向かって突出する突起部が形成され、
前記保持部材には、前記突起部が挿入される挿入穴が形成され、
前記突起部の外周面と前記挿入穴の内周面との間には、前記カバー部材に前記保持部材を固定する接着剤が充填されていることを特徴とする請求項１から４のいずれかに記載の撮像装置。
【請求項７】
前記カメラ本体には、交換レンズが着脱可能となっており、
前記カメラ本体は、前記交換レンズと前記カメラ本体とを電気的に接続するための複数の接続端子と、複数の前記接続端子の反被写体側端が接触するフレキシブルプリント基板と、前記フレキシブルプリント基板の反被写体側の面を支持する基板支持部材とを備え、
前記保持部材には、少なくとも前記基板支持部材の一部が配置される切欠き部が形成されていることを特徴とする請求項１から４のいずれかに記載の撮像装置。
【請求項８】
前記カメラ本体には、交換レンズが着脱可能となっており、
前記カメラ本体は、前記交換レンズと前記カメラ本体とを電気的に接続するための複数の接続端子を備え、
複数の前記接続端子の反被写体側端は、前記撮像素子の被写体側の面よりも反被写体側に配置されていることを特徴とする請求項１から４のいずれかに記載の撮像装置。
【発明の詳細な説明】
【技術分野】
【０００１】
本発明は、画像を撮影する撮像装置に関する。
【背景技術】
【０００２】
従来、レンズ交換式のミラーレスカメラが知られている（たとえば、特許文献１参照）。特許文献１に記載のカメラは、撮影用レンズを着脱可能に装着するボディマウントと、ボディマウントを保持するマウント保持部とを有する本体部を備えている。本体部は、撮像素子と、光学的ローパスフィルタと、撮像素子および光学的ローパスフィルタを保持する光学保持部材とを備えている。【０００３】
特許文献１に記載のカメラでは、マウント保持部は、ボディマウントが固定される円筒状の円筒部と、円筒部の径方向の内側に向かって伸びるカバー部とを備えている。ボディマウントは、円筒部の前端面（被写体側の端面）に固定されている。カバー部は、円筒部の後端部分に繋がっている。カバー部には、開口部が形成されており、開口部の後ろ側に光学的ローパスフィルタおよび撮像素子が配置されている。また、光学保持部材は、カバー部よりも後ろ側に配置されている。
【先行技術文献】
【特許文献】
【０００４】
【特許文献１】特開２０１２−１２３１３６号公報
【発明の概要】
【発明が解決しようとする課題】
【０００５】
特許文献１に記載のカメラは、ミラーレスカメラであり、本体部の厚さ（レンズの光軸方向の厚さ）は薄くなっている。一方で、市場では、本体部のさらなる薄型化の要求がある。そこで、本発明の課題は、撮像素子を有するカメラ本体を従来以上に薄型化することが可能な撮像装置を提供することにある。
【課題を解決するための手段】
【０００６】
上記の課題を解決するため、本発明の撮像装置は、撮像素子を有するカメラ本体を備え、撮像素子の撮像面に直交する方向の一方側を被写体側とし、被写体側の反対側を反被写体側とすると、カメラ本体の被写体側の面には、開口部が形成され、カメラ本体は、撮像素子の被写体側に配置される光学フィルタと、少なくとも光学フィルタを保持する保持部材と、開口部よりも小さい第２の開口部が形成されるとともに開口部よりも反被写体側に配置されるカバー部材とを備え、保持部材の一部は、第２の開口部の中に配置されていることを特徴とする。【０００７】
本発明の撮像装置では、光学フィルタを保持する保持部材の一部が、カバー部材の第２の開口部の中に配置されている。そのため、本発明では、特許文献１に記載のカメラのようにカバー部よりも後ろ側に光学保持部材が配置されている場合と比較して、カメラ本体を薄型化することが可能になる。すなわち、本発明では、カメラ本体を従来以上に薄型化することが可能になる。【０００８】
また、本発明では、光学フィルタを保持する保持部材の一部がカバー部材の第２の開口部の中に配置されているため、カメラ本体の被写体側の面と撮像素子の撮像面との距離を近づけることが可能になる。したがって、本発明では、たとえば、交換レンズがカメラ本体の被写体側に取り付けられる場合に、交換レンズを構成する光学系のバックフォーカスを短く設計する際の設計の自由度を高めることが可能になる。【０００９】
本発明において、たとえば、保持部材は、筒状に形成される筒部と、筒部の被写体側端を塞ぐように筒部に繋がる底部とを有する有底の筒状に形成され、底部には、第２の開口部よりも小さい第３の開口部が形成され、光学フィルタは、底部の反被写体側の面に接触するように配置され、撮像素子は、筒部の内周側に配置され、少なくとも底部の一部が第２の開口部の中に配置されている。【００１０】
また、本発明において、たとえば、カメラ本体は、カメラ本体に着脱可能に取り付けられる交換レンズを装着するためのマウント部材と、マウント部材を保持するマウント保持部材とを備え、開口部は、マウント部材に形成され、カバー部材は、マウント保持部材の一部を構成している。【００１１】
本発明において、マウント保持部材は、マウント部材が固定される環状の固定部を有する固定部材を備え、マウント部材は、固定部の被写体側の面に固定され、カバー部材は、固定部の反被写体側の面に固定され、固定部材は、金属で形成され、カバー部材は、樹脂で形成されていることが好ましい。このように構成すると、マウント保持部材の強度を確保しつ、マウント保持部材を軽量化および薄型化することが可能になる。【００１２】
本発明において、カメラ本体は、撮像素子が実装されるとともに保持部材に固定される回路基板を備え、撮像素子は、回路基板の被写体側の面に実装され、回路基板は、保持部材の反被写体側に配置されるとともにネジによって保持部材に固定され、ネジの頭部は、回路基板の反被写体側に配置されていることが好ましい。このように構成すると、ネジの頭部が保持部材の被写体側に配置されている場合と比較して、光軸方向におけるカバー部材と保持部材との距離を近づけることが可能になる。したがって、カメラ本体をより薄型化することが可能になる。【００１３】
本発明において、カバー部材には、反被写体側に向かって突出する突起部が形成され、保持部材には、突起部が挿入される挿入穴が形成され、突起部の外周面と挿入穴の内周面との間には、カバー部材に保持部材を固定する接着剤が充填されていることが好ましい。このように構成すると、カバー部材に対する保持部材の傾きを調整した後に、接着剤によってカバー部材に保持部材を固定することが可能になる。なお、複数のネジと、複数のネジのそれぞれが挿通される複数の圧縮コイルバネとを用いて、カバー部材に対する保持部材の傾きを調整するとともにカバー部材に保持部材を固定することも可能である。しかしながら、この場合には、突起部の外周面と挿入穴の内周面との間に充填される接着剤でカバー部材に保持部材を固定する場合と比較して、カメラ本体が厚くなる。【００１４】
本発明において、カメラ本体には、交換レンズが着脱可能となっており、カメラ本体は、交換レンズとカメラ本体とを電気的に接続するための複数の接続端子と、複数の接続端子の反被写体側端が接触するフレキシブルプリント基板と、フレキシブルプリント基板の反被写体側の面を支持する基板支持部材とを備え、保持部材には、少なくとも基板支持部材の一部が配置される切欠き部が形成されていることが好ましい。このように構成すると、保持部材に形成される切欠き部の中に少なくとも基板支持部材の一部が配置されているため、カメラ本体をより薄型化することが可能になる。【００１５】
本発明において、カメラ本体には、交換レンズが着脱可能となっており、カメラ本体は、交換レンズとカメラ本体とを電気的に接続するための複数の接続端子を備え、複数の接続端子の反被写体側端は、撮像素子の被写体側の面よりも反被写体側に配置されていることが好ましい。このように構成すると、カメラ本体をより薄型化することが可能になる。
【発明の効果】
【００１６】
以上のように、本発明の撮像装置では、撮像素子を有するカメラ本体を従来以上に薄型化することが可能になる。
【図面の簡単な説明】
【００１７】
【図１】本発明の実施の形態にかかる撮像装置の断面図である。
【図２】図１に示すカメラ本体の断面図である。
【図３】図２に示すカメラ本体からケースおよび後面カバー等を取り外した状態を正面側から示す斜視図である。
【図４】図２に示すカメラ本体からケースおよび後面カバー等を取り外した状態を背面側から示す斜視図である。
【図５】図２に示すカメラ本体からカバー部材、ケースおよび後面カバー等を取り外した状態の正面図である。
【図６】図２に示すカメラ本体から撮像素子、回路基板、ケースおよび後面カバー等を取り外した状態の背面図である。
【発明を実施するための形態】
【００１８】
以下、図面を参照しながら、本発明の実施の形態を説明する。
【００１９】
（撮像装置の概略構成）
図１は、本発明の実施の形態にかかる撮像装置１の断面図である。
【００２０】
本形態の撮像装置１は、カメラ本体２と、カメラ本体２に着脱可能に取り付けられる交換レンズ３とを備えている。すなわち、カメラ本体２には、交換レンズ３が着脱可能となっている。本形態では、交換レンズ３は、バヨネット式の接続機構によってカメラ本体２に着脱可能に取り付けられている。また、交換レンズ３は、全体として略円柱状に形成されており、略円柱状に形成される交換レンズ３の軸方向と交換レンズ３の光軸Ｌの方向（光軸方向）とが一致している。
【００２１】
交換レンズ３の光軸方向の一方側を被写体側とし、被写体側の反対側（光軸方向の他方側）を反被写体側（結像側）とすると、交換レンズ３は、カメラ本体２に対して被写体側に配置され、カメラ本体２は、交換レンズ３に対しては反被写体側に配置されている。以下の説明では、被写体側（図１等のＺ１方向側）を「前」側とし、反被写体側（図１等のＺ２方向側）を「後（後ろ）」側とする。また、以下の説明では、交換レンズ３の径方向（すなわち、光軸Ｌと直交する方向）を「径方向」とし、交換レンズ３の周方向（円周方向、すなわち、交換レンズ３の軸を中心とする周方向）を「周方向」とする。
【００２２】
交換レンズ３は、複数枚の光学レンズ５と、光学レンズ５を保持するレンズ鏡筒６とを備えている。また、交換レンズ３は、複数枚の光学レンズ５の後ろ側に配置されるフォーカスレンズ７と、フォーカスレンズ７を前後方向（光軸方向）へ移動させる焦点調整機構（図示省略）とを備えている。焦点調整機構は、モータ、リードスクリューおよびナット部材等を備えており、レンズ鏡筒６の内部に配置されている。なお、レンズ鏡筒６の内部には、図示を省略するシャッタおよびシャッタの駆動機構も配置されている。
【００２３】
レンズ鏡筒６の後端部には、カメラ本体２に交換レンズ３を装着するための円環状のマウント部材８が固定されている。マウント部材８には、バヨネット爪が形成されている。マウント部材８の内周側には、カバー部材９が固定されている。カバー部材９の中心には、前後方向に貫通する開口部９ａが形成されている。光軸Ｌは、開口部９ａの中心を通過しており、フォーカスレンズ７を透過して後述の撮像素子１１に入射する光は、開口部９ａを通過する。また、カバー部材９には、交換レンズ３とカメラ本体２とを電気的に接続するための複数の接続端子（図示省略）が固定されている。
【００２４】
（カメラ本体の構成）
図２は、図１に示すカメラ本体２の断面図である。図３は、図２に示すカメラ本体２からケース１９および後面カバー２０等を取り外した状態を正面側から示す斜視図である。図４は、図２に示すカメラ本体２からケース１９および後面カバー２０等を取り外した状態を背面側から示す斜視図である。図５は、図２に示すカメラ本体２からケース１９、後面カバー２０およびカバー部材２６等を取り外した状態の正面図である。図６は、図２に示すカメラ本体２から撮像素子１１、回路基板１２、ケース１９および後面カバー２０等を取り外した状態の背面図である。
【００２５】
カメラ本体２は、Ｃ−ＭＯＳイメージセンサ等の撮像素子１１と、撮像素子１１が実装される回路基板１２と、撮像素子１１の前側に配置される光学フィルタ１３と、撮像素子１１、回路基板１２および光学フィルタ１３を保持する保持部材１４とを備えている。また、カメラ本体２は、交換レンズ３を装着するためのマウント部材１５と、マウント部材１５を保持するマウント保持部材１６と、交換レンズ３とカメラ本体２とを電気的に接続するための複数の接続端子１７と、複数の接続端子１７を保持する端子保持部材１８とを備えている。さらに、カメラ本体２は、カメラ本体２の外周面を構成する略円筒状のケース１９と、カメラ本体２の後面を構成する後面カバー２０とを備えている。
【００２６】
回路基板１２は、平板状に形成されたリジッド基板である。回路基板１２は、回路基板１２の厚さ方向と前後方向とが一致するように配置されている。回路基板１２には、後述のネジ２２が挿通される４個の貫通穴（図示省略）が形成されている。光学フィルタ１３は、ローパスフィルタまたはＩＲカットフィルタである。
【００２７】
撮像素子１１は、長方形の平板状に形成されており、回路基板１２の前面に実装されている。この撮像素子１１は、撮像素子１１の厚さ方向と前後方向とが一致するように配置されている。交換レンズ３がカメラ本体２に取り付けられているときの光学レンズ５の光軸Ｌは、撮像素子１１の中心を通過している。撮像素子１１の前面は、撮像素子１１の撮像面となっている。すなわち、撮像素子１１の撮像面は、前後方向と直交するように配置されている。また、前側（被写体側）は、撮像素子１１の撮像面に直交する方向の一方側となっており、後ろ側（反被写体側）は、撮像素子１１の撮像面に直交する方向の他方側となっている。
【００２８】
以下の説明では、前後方向に直交する方向であって、長方形状に形成される撮像素子１１の短辺に平行な方向の一方（図１等のＹ１方向）を上方向とし、上方向の反対方向（図１等のＹ２方向）を下方向とする。また、前後方向と上下方向とに直交する方向（図１等のＸ方向）を左右方向とする。
【００２９】
保持部材１４は、筒状に形成される筒部１４ａと、筒部１４ａの前端を塞ぐように筒部１４ａの前端に繋がる底部１４ｂとを有する有底の筒状に形成されている。底部１４ｂの中心には、前後方向に貫通する第３の開口部としての開口部１４ｃが形成されている。筒部１４ａの後端側には、径方向の外側に広がる鍔部１４ｄが形成されている。筒部１４ａは、扁平な四角筒状に形成されている。前後方向から見たときの筒部１４ａの形状は、左右方向を長手方向とする長方形の枠状となっている。また、前後方向から見たときの開口部１４ｃの形状は、左右方向を長手方向とする長方形状となっている。
【００３０】
鍔部１４ｄは、略長方形の枠状に形成されている。鍔部１４ｄには、切欠き部１４ｅが形成されている。また、図６に示すように、鍔部１４ｄには、３個の挿入穴１４ｆと４個のネジ穴１４ｇとが形成されている。切欠き部１４ｅは、保持部材１４の下端から上側に向かって切り欠かれるように形成されており、筒部１４ａの下側に形成されている。また、切欠き部１４ｅは、左右方向の中心位置に形成されている。前後方向から見たときの切欠き部１４ｅの形状は、左右方向を長手方向とする略長方形状となっている。
【００３１】
挿入穴１４ｆは、前後方向で鍔部１４ｄを貫通するように形成されている。また、挿入穴１４ｆは、丸穴状に形成されている。３個の挿入穴１４ｆのうちの１個の挿入穴１４ｆは、鍔部１４ｄの上端側かつ左右方向の中心位置に形成されている。残りの２個の挿入穴１４ｆのそれぞれは、鍔部１４ｄの下端側かつ左右方向の両端側のそれぞれに形成されている。ネジ穴１４ｇは、鍔部１４ｄの後面から前側に向かって形成されている。４個のネジ穴１４ｇのうちの２個のネジ穴１４ｇのそれぞれは、鍔部１４ｄの上端側に形成される挿入穴１４ｆの左右方向の両側のそれぞれに形成されている。残りの２個のネジ穴１４ｇのそれぞれは、切欠き部１４ｅの左右方向の両側に形成されている。
【００３２】
回路基板１２は、保持部材１４の後ろ側に配置されている。また、回路基板１２は、ネジ２２によって保持部材１４に固定されている。本形態では、４個のネジ２２によって回路基板１２が保持部材１４に固定されている。ネジ２２の軸部は、回路基板１２に形成される貫通穴に挿通されるとともにネジ穴１４ｇに螺合している。すなわち、回路基板１２は、回路基板１２の前面が鍔部１４ｄの後面に当接した状態で鍔部１４ｄに固定されている。ネジ２２の頭部２２ａは、回路基板１２の後ろ側に配置されている。なお、挿入穴１４ｆが後ろ側から回路基板１２に覆われないように、回路基板１２の、挿入穴１４ｆに対応する位置には、切欠き部が形成されている（図４参照）。
【００３３】
撮像素子１１は、上述のように、回路基板１２の前面に実装されており、回路基板１２を介して保持部材１４に保持されている。撮像素子１１は、保持部材１４の筒部１４ａの内周側に配置されている。また、撮像素子１１は、底部１４ｂの後ろ側に配置されている。光学フィルタ１３は、底部１４ｂの後面に接触するように配置されている。また、光学フィルタ１３は、開口部１４ｃの全体を後ろ側から覆うように配置されている。
【００３４】
前後方向における撮像素子１１と光学フィルタ１３との間には、四角環状に形成される弾性体２３が配置されている。弾性体２３は、たとえば、ポリウレタンフォームで形成されている。弾性体２３の内周面は、光学フィルタ１３の外周端よりも内周側に配置され、弾性体２３の外周面は、光学フィルタ１３の外周端よりも外周側に配置されている。光学フィルタ１３は、弾性体２３の弾性力によって底部１４ｂの後面に押し付けられている。
【００３５】
マウント部材１５は、カメラ本体２の前端部を構成している。このマウント部材１５は、円環状に形成されている。すなわち、カメラ本体２の前面には、円形状の開口部１５ａが形成されている。マウント部材１５の前面は、前後方向に直交する平面となっている。マウント部材１５には、バヨネット爪１５ｂが形成されている。本形態では、マウント部材８のバヨネット爪とバヨネット爪１５ｂとが係合すると、カメラ本体２に交換レンズ３が取り付けられる。
【００３６】
マウント保持部材１６は、マウント部材１５が固定される環状の固定部２５ａを有する固定部材２５と、保持部材１４の鍔部１４ｄの前面を覆うカバー部材２６とを備えている。固定部材２５は、金属で形成されている。具体的には、固定部材２５は、アルミニウム合金で形成されている。また、固定部材２５は、金型を用いたアルミダイカストによって形成されている。カバー部材２６は、樹脂で形成されている。また、カバー部材２６は、金型を用いた樹脂成形で形成されている。
【００３７】
固定部２５ａは、円環状に形成されている。固定部２５ａの外径は、マウント部材１５の外径とほぼ等しくなっている。また、固定部材２５は、固定部２５ａの上端側の２箇所および固定部２５ａの下端側の１箇所から後ろ側へ突出する円弧状の突出部２５ｂを備えている。突出部２５ｂは、固定部２５ａの中心を曲率中心とする円弧状の曲板となっている。また、径方向における突出部２５ｂの外側面の曲率半径は、固定部２５ａの曲率半径と等しくなっている。径方向における突出部２５ｂの外側面は、固定部２５ａの外周面に繋がっている。
【００３８】
マウント部材１５は、固定部２５ａの前面に固定されている。具体的には、マウント部材１５は、複数のネジ２７によって固定部２５ａの前面に固定されている。マウント部材１５の前面には、ネジ２７の頭部が配置される凹部が形成されている。
【００３９】
カバー部材２６は、略円板状に形成されている。カバー部材２６は、カバー部材２６の厚さ方向と前後方向とが一致するように配置されている。カバー部材２６は、マウント部材１５よりも後ろ側に配置されている。すなわち、カバー部材２６は、開口部１５ａよりも後ろ側に配置されている。また、カバー部材２６は、固定部２５ａの後面に固定されることで、マウント保持部材１６の一部として構成されている。また、カバー部材２６は、複数のネジ２８によって固定部２５ａの後面に固定されている。カバー部材２６の後面には、ネジ２８の頭部が配置される凹部が形成されている。
【００４０】
カバー部材２６の中心には、前後方向に貫通する第２の開口部としての開口部２６ａが形成されている。前後方向から見たときの開口部２６ａの形状は、左右方向を長手方向とする長方形状となっている。開口部２６ａは、開口部１５ａよりも小さくなっている。また、開口部２６ａは、保持部材１４の開口部１４ｃよりも大きくなっている。開口部１５ａと開口部２６ａと開口部１４ｃとは、前後方向から見たときに、開口部１５ａの中心と開口部２６ａの中心と開口部１４ｃの中心とが一致するように配置されている。また、光軸Ｌは、開口部１４ｃ、１５ａ、２６ａの中心を通過している。
【００４１】
また、カバー部材２６には、端子保持部材１８が配置される配置穴２６ｂと、保持部材１４の挿入穴１４ｆに挿入される突起部（ボス）２６ｃとが形成されている。配置穴２６ｂは、開口部２６ａの下側に形成されている。また、配置穴２６ｂは、前後方向でカバー部材２６を貫通している。突起部２６ｃは、カバー部材２６の後面から後ろ側に向かって突出する円柱状に形成されている。突起部２６ｃの外径は、挿入穴１４ｆの内径よりも小さくなっている。
【００４２】
突起部２６ｃは、３箇所に形成されており、３個の突起部２６ｃのそれぞれが３個の挿入穴１４ｆのそれぞれに挿入されている。すなわち、３個の突起部２６ｃのうちの１個の突起部２６ｃは、カバー部材２６の後面の上端側かつ左右方向の中心位置に形成されている。また、残りの２個の突起部２６ｃのそれぞれは、カバー部材２６の後面の下端側かつ左右方向の両端側のそれぞれに形成されている。
【００４３】
撮像素子１１、回路基板１２および光学フィルタ１３が取り付けられた状態の保持部材１４は、カバー部材２６に接着固定されている。具体的には、突起部２６ｃの外周面と挿入穴１４ｆの内周面との間に充填される接着剤３１（図２参照）によって、カバー部材２６に保持部材１４が固定されている。すなわち、突起部２６ｃの外周面と挿入穴１４ｆの内周面との間には、カバー部材２６に保持部材１４を固定する接着剤３１が充填されている。
【００４４】
カバー部材２６に保持部材１４が固定された状態では、開口部２６ａの中に、保持部材１４の一部が配置されている。具体的には、筒部１４ａの前端部および底部１４ｂが開口部２６ａの中に配置されている。すなわち、筒部１４ａの前端部および底部１４ｂと、カバー部材２６とは、径方向において重なっている。カメラ本体２では、開口部１５ａ、１４ｃの後ろ側に配置される撮像素子１１の撮像面（前面）が光学フィルタ１３越しに露出しており、撮像素子１１の撮像面には、交換レンズ３を透過した光が入射可能となっている。
【００４５】
端子保持部材１８には、接続端子１７が配置される複数の貫通穴が形成されている。この貫通穴は、前後方向で端子保持部材１８を貫通している。端子保持部材１８は、カバー部材２６の配置穴２６ｂの中に配置された状態でカバー部材２６に固定されている。また、端子保持部材１８は、保持部材１４の切欠き部１４ｅの前側に配置されている。
【００４６】
接続端子１７は、導電性を有する導線性材料で形成されるとともに、略円柱状に形成されている。複数の接続端子１７は、略円柱状に形成される接続端子１７の軸方向と前後方向とが一致するように端子保持部材１８に保持されている。また、複数の接続端子１７は、前後方向への移動が可能となるように端子保持部材１８の貫通穴に挿入されて保持されており、図示を省略するバネによって前側に付勢されている。複数の接続端子１７の前端は、カバー部材２６の前面に配置されている。
【００４７】
本形態のカメラ本体２は、１０個の接続端子１７を備えている。１０個の接続端子１７は、周方向に円弧状に配列されるとともに、円弧状に配列される接続端子１７は、径方向において２列で配置されている。具体的には、４個の接続端子１７が一定の間隔で周方向に円弧状に配列されるとともに、この４個の接続端子１７の、径方向の外側に残りの６個の接続端子１７が一定の間隔で周方向に円弧状に配列されている。
【００４８】
図２に示すように、複数の接続端子１７の後端は、撮像素子１１の前面（撮像面）よりも後ろ側に配置されている。また、複数の接続端子１７の後端は、フレキシブルプリント基板３３（以下、ＦＰＣ（Ｆｌｅｘｉｂｌｅ  Ｐｒｉｎｔｅｄ  Ｃｉｒｃｕｉｔｓ）３３とする）の一端部３３ａに接触している。ＦＰＣ３３の他端部は、回路基板１２の後面に実装されるコネクタ３４に接続されている。接続端子１７は、ＦＰＣ３３を介して回路基板１２に電気的に接続されている。
【００４９】
ＦＰＣ３３の一端部３３ａの後ろ側には、一端部３３ａの後面を支持する基板支持部材３５が配置されている。図６に示すように、基板支持部材３５は、一端部３３ａを支持する支持部３５ａと、カバー部材２６の後面に固定される被固定部３５ｂとを備えている。被固定部３５ｂは、支持部３５ａの左右方向の両側のそれぞれに配置されている。被固定部３５ｂは、ネジ３６によってカバー部材２６の後面に固定されている。支持部３５ａは、図２に示すように、保持部材１４の切欠き部１４ｅの中に配置されている。
【００５０】
ケース１９は、略円筒状に形成されている。このケース１９は、マウント部材１５の外周面および固定部材２５の外周面を覆っている。具体的には、ケース１９は、マウント部材１５の前端部を除いた部分の外周面および固定部材２５の全体の外周面を覆っている。後面カバー２０は、ケース１９の後端を塞ぐようにケース１９の後端面に固定されている。
【００５１】
（本形態の主な効果）
以上説明したように、本形態の撮像装置１は、撮像素子１１を有するカメラ本体２を備えており、カメラ本体２の前面には、開口部１５ａが形成されている。また、本形態では、カメラ本体２は、撮像素子１１の前側に配置される光学フィルタ１３と、撮像素子１１および光学フィルタ１３を保持する保持部材１４と、開口部１５ａよりも小さい開口部２６ａが形成されるとともに開口部１５ａよりも後ろ側に配置されるカバー部材２６とを備えている。さらに、本形態では、開口部２６ａの中に、保持部材１４の一部が配置されている。
【００５２】
このように本形態では、撮像素子１１および光学フィルタ１３を保持する保持部材１４の一部が、カバー部材２６の開口部２６ａの中に配置されている。そのため、本形態では、特許文献１に記載のカメラのようにカバー部よりも後ろ側に光学保持部材が配置されている場合と比較して、カメラ本体２を薄型化することが可能になる。すなわち、本形態では、カメラ本体２を従来以上に薄型化することが可能になる。
【００５３】
また、本形態では、撮像素子１１を保持する保持部材１４の一部がカバー部材２６の開口部２６ａの中に配置されているため、カメラ本体２の前面（マウント部材１５の前面）と撮像素子１１の撮像面（撮像素子１１の前面）との距離を近づけることが可能になる。したがって、本形態では、バックフォーカスの短い光学系を有する交換レンズ３がカメラ本体２に取り付けられる場合に、バックフォーカスの短い光学系の設計の自由度を高めることが可能になる。すなわち、カメラ本体２の前面と撮像素子１１の撮像面との距離が離れていると、バックフォーカスの短い光学系を有する交換レンズ３がカメラ本体２に取り付けられる場合、カメラ本体２の内部に光学系の一部を挿入しなければならない。カメラ本体２の内部に光学系の一部を挿入するような光学レンズ５および交換レンズ３を設計する場合には、光学レンズ５の後ろ側に配置されるレンズ素子のレンズ径を小さくするとともにレンズ鏡筒６の後ろ側も小型化する必要があり、バックフォーカスの短い光学系の設計に制約が生じやすい。しかし、本形態では、バックフォーカスを短く設計したとしてもカメラ本体２の内部に光学系の一部を挿入しなくても良いため、バックフォーカスの短い光学系の設計に制約が生じにくい。
【００５４】
また、カメラ本体２の内部に光学系の一部を挿入する構成を採らない場合には、交換レンズ３のバックフォーカスとして、カメラ本体２の前面と撮像素子１１の撮像面との距離分を最低限確保する必要がある。つまり、交換レンズ３のバックフォーカスを短くすることに関しては、カメラ本体２の前面と撮像素子１１の撮像面との距離に制限を受ける。一方、交換レンズ３のバックフォーカスを長くすることに関しては、カメラ本体２の前面と光学レンズ５との間の距離を長くすることで対応できる。つまり、交換レンズ３の設計にあたり、バックフォーカスを長くすることに関しては、カメラ本体２側の制約を受けにくく、比較的自由な設計を行うことができる。したがって、カメラ本体２の前面と撮像素子１１の撮像面との距離を短くすることにより、カメラ本体２の薄型化に加えて、交換レンズ３の設計の自由度を高くすることができる。
【００５５】
また、本形態では、保持部材１４は、筒状に形成される筒部１４ａと、筒部１４ａの前側端を塞ぐように筒部１４ａに繋がる底部１４ｂとを有する有底の筒状に形成されている。底部１４ｂには、開口部２６ａよりも小さい開口部１４ｃが形成されている。光学フィルタ１３は底部１４ｂの後ろ側の面に接触するように配置されている。撮像素子１１は、筒部１４ａの内周側に配置されている。また、少なくとも底部１４ｂが開口部２６ａの中に配置されている。このように、保持部材１４に形成された底部１４ｂを含む筒部１４ａの一部をカバー部材２６に形成された開口部２６ａへ後ろ側から入り込ませることにより、筒部１４ａの内周側に配置される撮像素子１１の撮像面をよりカメラ本体２の前面に近付けることが可能となる。そのため、カメラ本体２の前後方向における薄型化が可能となるとともに、交換レンズ３の光学レンズ５のバックフォーカスをより短く設計することが可能となる。なお、本形態のように第２の開口部２６ａの中に底部１４ｂの全体を配置しても良いが、底部１４ｂの少なくとも一部を、第２の開口部２６ａの中に配置すれば、カメラ本体２の薄型化と交換レンズ３の設計の自由度を高くすることができる。
【００５６】
また、カメラ本体２は、カメラ本体２に着脱可能に取り付けられる交換レンズ３を装着するためのマウント部材１５と、マウント部材１５を保持するマウント保持部材１６とを備えている。開口部１５ａは、マウント部材１５に形成されている。また、カバー部材２６は、マウント保持部材１６の一部を構成している。マウント保持部材１６の部品の厚みを確保でき、かつ、マウント保持部材１６の構成が簡素なため、マウント保持部材１６を精度良く形成することが可能である。したがって、マウント保持部材１６にマウント部材１５を設置するための設置面を設けることで、マウント部材１５の前面の歪みや傾きを抑制することが可能となる。さらに、開口部２６ａを有するカバー部材２６がマウント保持部材１６の一部を構成しているため、開口部１５ａを有するマウント部材１５をマウント保持部材１６へ固定することにより、開口部１５ａと開口部２６ａとの位置合わせを精度良く行うことが可能となる。
【００５７】
本形態のように、マウント保持部材１６は、マウント部材１５が固定される環状の固定部２５ａを有する固定部材２５を備え、マウント部材１５は、固定部２５ａの前面に固定され、カバー部材２６は、固定部２５ａの後面に固定され、固定部材２５は、金属で形成され、カバー部材２６は、樹脂で形成されていることが好ましい。このようにすると、固定部材２５が樹脂で形成されている場合と比べて固定部材２５の強度を確保することが可能になるため、カメラ本体２に交換レンズ３を取り付けたときに交換レンズ３の倒れやねじれを抑制することが可能になる。また、カバー部材２６は固定部材２５と比較して強度を必要としないため、カバー部材２６の前後方向の厚みを薄くすることが可能であるが、カバー部材２６が金属で形成される場合、一般的にはアルミダイキャストでカバー部材２６が成形される。カバー部材２６がアルミダイキャストで成形される場合、製造上の制約としてカバー部材２６の板厚を薄くすることに限界が生じるため、カバー部材２６が樹脂成形品である場合と比べて、カバー部材２６の薄型化および軽量化に不利になる。よって、固定部材２５を金属で形成し、カバー部材２６を樹脂で形成することにより、マウント保持部材１６の強度を確保しつ、マウント保持部材１６を軽量化することが可能になる。
【００５８】
本形態のように、カメラ本体２は、撮像素子１１が実装されるとともに保持部材１４に固定される回路基板１２を備え、撮像素子１１は、回路基板１２の前面に実装され、回路基板１２は、保持部材１４の後ろ側に配置されるとともにネジ２２によって保持部材１４に固定され、ネジ２２の頭部２２ａは、回路基板１２の後ろ側に配置されていることが好ましい。このようにすると、ネジ２２の頭部２２ａが保持部材１４の前側に配置されている場合と比較して、前後方向（光軸方向）におけるカバー部材２６と保持部材１４との距離を近づけることが可能になる。したがって、カメラ本体２をより薄型化することが可能になる。
【００５９】
本形態のように、カバー部材２６には、後ろ側に向かって突出する突起部２６ｃが形成され、保持部材１４には、突起部２６ｃが挿入される挿入穴１４ｆが形成され、突起部２６ｃの外周面と挿入穴１４ｆの内周面との間には、カバー部材２６に保持部材１４を固定する接着剤３１が充填されていることが好ましい。このようにすると、カバー部材２６に対する保持部材１４の傾きを調整した後に、接着剤３１によってカバー部材２６に保持部材１４を固定することが可能になる。すなわち、マウント部材１５の前面に対する撮像素子１１の傾きを調整した後に、接着剤３１によってカバー部材２６に保持部材２６を固定することが可能になる。なお、複数のネジと、複数のネジのそれぞれが挿通される複数の圧縮コイルバネとを用いて、カバー部材２６に対する保持部材１４の傾きを調整するとともにカバー部材２６に保持部材１４を固定することも可能である。しかしながら、この場合には、突起部２６ｃの外周面と挿入穴１４ｆの内周面との間に充填される接着剤３１でカバー部材２６に保持部材１４を固定する場合と比較して、カメラ本体２が厚くなる。
【００６０】
本形態のように、カメラ本体２には、交換レンズ３が着脱可能となっており、カメラ本体２は、交換レンズ３とカメラ本体２とを電気的に接続するための複数の接続端子１７と、複数の接続端子１７の後端が接触するＦＰＣ３３と、ＦＰＣ３３の後面を支持する基板支持部材３５とを備え、保持部材１４には、基板支持部材３５の一部が配置される切欠き部１４ｅが形成されていることが好ましい。このようにすると、保持部材１４に形成される切欠き部１４ｅの中に少なくとも基板支持部材３５の一部が配置されているため、カメラ本体２をより薄型化することが可能になる。
【００６１】
本形態のように、カメラ本体２には、交換レンズ３が着脱可能となっており、カメラ本体２は、交換レンズ３とカメラ本体２とを電気的に接続するための複数の接続端子１７を備え、複数の接続端子１７の後端は、撮像素子１１の前面よりも後ろ側に配置されていることが好ましい。このようにすると、カメラ本体２をより薄型化することが可能になる。
【００６２】
（他の実施の形態）
上述した形態では、別体で形成される固定部材２５とカバー部材２６とが互いに固定されることでマウント保持部材１６が構成されているが、固定部材２５とカバー部材２６とが一体で形成されていても良い。また、上述した形態では、保持部材１４の底部１４ｂがカバー部材２６の前側の面とほぼ同一の平面上に配置されているが、底部１４ｂは、カバー部材２６の前側の面よりも前側へ突出するように配置されていても良く、逆にカバー部材２６の前側の面より後ろ側に配置されていても良い。
【００６３】
上述した形態では、保持部材１４に形成される切欠き部１４ｅの中に少なくとも基板支持部材３５の一部が配置されているが、切欠き部１４ｅの中には、基板支持部材３５だけではなく、接続端子１７、端子保持部材１８およびフレキシブルプリント基板３３の少なくとも一部が配置されていても良い。また、上述した形態では、撮像装置１は、カメラ本体２に着脱可能に取り付けられる交換レンズ３を有するレンズ交換型の撮像装置であるが、本発明が適用される撮像装置は、カメラ本体２に固定されたレンズ鏡筒を有するレンズ一体型の撮像装置であっても良い。
【符号の説明】
【００６４】
１  撮像装置
２  カメラ本体
３  交換レンズ
１１  撮像素子
１２  回路基板
１３  光学フィルタ
１４  保持部材
１４ａ  筒部
１４ｂ  底部
１４ｃ  開口部（第３の開口部）
１４ｅ  切欠き部
１４ｆ  挿入穴
１５  マウント部材
１５ａ  開口部
１６  マウント保持部材
１７  接続端子
２２  ネジ
２２ａ  頭部
２５  固定部材
２５ａ  固定部
２６  カバー部材
２６ａ  開口部（第２の開口部）
２６ｃ  突起部
３１  接着剤
３３  ＦＰＣ（フレキシブルプリント基板）
３５  基板支持部材
Ｚ１  被写体側
Ｚ２  反被写体側
【図１】
2018105328.tif 000003
【図２】
2018105328.tif 000004
【図３】
2018105328.tif 000005
【図４】
2018105328.tif 000006
【図５】
2018105328.tif 000007
【図６】
2018105328.tif 000008
【国際調査報告】
2018105328.tif 000009
2018105328.tif 000010
2018105328.tif 000011
2018105328.tif 000012